(57)【要約】【課題】  燃料タンクへの給油が阻害されることを、確実にかつエネルギ消費の増大を伴うことなく防止することができる燃料貯留部の構造を得る。【解決手段】  燃料貯留部の構造１０では、燃料タンク１２に給油する際にガスを逃すためのブリーザパイプ１８の中間部に長手方向両側よりも低位とされた谷部１８Ａが形成されている。谷部１８Ａは、連通ライン４２を介して、キャニスタ２０の吸着した燃料蒸気をエンジンの吸気動作によってパージするためのパージライン２６に連通されており、該パージライン２６における連通ライン４２の連通部位にはジェットポンプ４４が配設されている。ジェットポンプ４４は、パージライン２６に生じるエンジン吸気系統側への流れによって負圧を生じ、連通ライン４２を通じて谷部１８Ａに滞留した燃料をパージライン２６に吸い込む。【選択図】      図１
2006188090.tif 000002
【特許請求の範囲】
【請求項１】
一端側において燃料タンクの上部空間に連通されると共に他端側において外部空間に開口し、かつ中間部に長手方向両側よりも低位とされた谷部を有し、前記燃料タンクに燃料を供給するのに伴って該燃料タンクから気体成分を排出するための排気流路と、
前記燃料タンクに連通され該燃料タンク内の燃料蒸気を吸着するキャニスタ及びエンジン吸気系に連通され、エンジンの吸気動作によって生じる前記エンジン吸気系に向かう流れによって前記キャニスタに吸着した燃料蒸気を該エンジン吸気系にパージさせるパージ用流路と、
前記排気流路の谷部と前記パージ用流路とを連通する連通路と、
前記パージ用流路における前記連通路の合流部分に設けられ、該パージ用流路に生じる前記エンジン吸気系に向かう流れによって前記連通路から該パージ用流路に向かう流れを生成するジェットポンプと、
を備えた燃料貯留部の構造。
【請求項２】
前記パージ用流路は、前記キャニスタと前記エンジン吸気系とを連通し前記燃料蒸気が流れるパージラインと、前記パージの際に前記キャニスタに大気を導入するための大気ラインとを有し、
前記連通路は、前記パージラインに連通されている請求項１記載の燃料貯留部の構造。
【請求項３】
前記パージ用流路における前記連通路の合流部よりも前記パージ方向下流側の部分の低部に連通され、該パージ用流路を流れる燃料の液体成分を回収可能な液体燃料回収部をさらに備えた請求項１又は請求項２記載の燃料貯留部の構造。
【請求項４】
前記液体燃料回収部は、前記燃料タンクの上部空間とを連通している請求項３記載の燃料貯留部の構造。
【請求項５】
前記液体燃料回収部から前記燃料タンクへの流れを許容し、前記燃料タンクから液体燃料回収部への流れを防止する逆止弁をさらに備えた請求項４記載の燃料貯留部の構造。
【請求項６】
前記パージ用流路における前記連通路の合流部よりも前記パージ方向下流側の部分に設けられた気液分離手段をさらに備え、
前記液体燃料回収部は、前記気液分離手段で分離された液体成分を回収するようになっている請求項３乃至請求項５の何れか１項記載の燃料貯留部の構造。
【発明の詳細な説明】
【技術分野】
【０００１】
本発明は、例えば自動車等の燃料タンクに燃料を貯留するための燃料貯留部の構造に関する。
【背景技術】
【０００２】
自動車の燃料タンクには、燃料を注入するためのフューエルフィラーラインと、フューエルフィラーラインから燃料を注入する際に燃料タンク内のガスを排出するためのブリーザラインとが接続されている。このブリーザラインの中間部、すなわち、燃料タンクの上部空間に連通した下端とフューエルフィラーラインにおける給油口近傍に連通した上端との間に、その長手方向両側よりも低位となる下方湾曲部（谷部）を形成し、車体フレームなどとの干渉を回避する技術が知られている（例えば、特許文献１、特許文献２参照）。
【０００３】
このような技術では、ブリーザラインの下方湾曲部に燃料が滞留してフューエルフィラーラインによる給油が阻害されないように、ブリーザラインの下方湾曲部とフューエルフィラーラインとを連通したり、ブリーザラインの大気開口側端部近傍に設けたフューエルフィラーラインとの連通部にチャンバを形成すると共にフロート弁を設けたり、ブリーザラインの下方湾曲部を燃料戻しラインに連通させてジェットポンプによって下方湾曲部に滞留した燃料を吸い出したりする対策が採られている。
【特許文献１】特開２００１−３０７７３号公報
【特許文献２】特開２００１−８０３７２号公報
【発明の開示】
【発明が解決しようとする課題】
【０００４】
しかしながら、上記の如き従来の技術では、以下の如き問題があった。すなわち、単にブリーザラインの下方湾曲部とフューエルフィラーラインとを連通する構成では、ブリーザライン下方湾曲部の下方にフューエルフィラーラインを配索しなければならず、これらの位置関係に制約が生じてしまう。また、フューエルフィラーラインからブリーザラインに燃料が流れ込むことが懸念される。上記フロート弁を設けた構成では、フューエルフィラーラインからブリーザラインに燃料が流れ込むことが防止されるが、チャンバから溢れた燃料が再度ブリーザラインに流れ込むことが懸念される。さらに、上記ジェットポンプを設けた構成では、ジェットポンプによってブリーザラインの下方湾曲部に滞留した燃料を吸い出すためには燃料ポンプを作動する必要があり、燃料ポンプの容量を大きく（エンジンの燃料最大消費量に見合う容量にジェットポンプ作動用の容量を加えた容量に）しなければならず、燃費を悪化させる原因となる。
【０００５】
本発明は、上記事実を考慮して、燃料タンクへの給油が阻害されることを、確実にかつエネルギ消費の増大を伴うことなく防止することができる燃料貯留部の構造を得ることが目的である。
【課題を解決するための手段】
【０００６】
上記目的を達成するために請求項１記載の発明に係る燃料貯留部の構造は、一端側において燃料タンクの上部空間に連通されると共に他端側において外部空間に開口し、かつ中間部に長手方向両側よりも低位とされた谷部を有し、前記燃料タンクに燃料を供給するのに伴って該燃料タンクから気体成分を排出するための排気流路と、前記燃料タンクに連通され該燃料タンク内の燃料蒸気を吸着するキャニスタ及びエンジン吸気系に連通され、エンジンの吸気動作によって生じる前記エンジン吸気系に向かう流れによって前記キャニスタに吸着した燃料蒸気を該エンジン吸気系にパージさせるパージ用流路と、前記排気流路の谷部と前記パージ用流路とを連通する連通路と、前記パージ用流路における前記連通路の合流部分に設けられ、該パージ用流路に生じる前記エンジン吸気系に向かう流れによって前記連通路から該パージ用流路に向かう流れを生成するジェットポンプと、を備えている。
【０００７】
請求項１記載の燃料貯留部の構造では、排気流路の長手方向中間部に該長手方向両側よりも低位とされた（重力方向凸となるように凹んだ）谷部が形成されており、この谷部には燃料が貯留する場合がある。そして、キャニスタに吸着されたガスがエンジンの吸気系にパージされる（所謂エンジンパージの）タイミングになると、パージ用流路にはエンジン吸気系に向かう流れが生成される。この流れによって、キャニスタに吸着している燃料蒸気は該キャニスタから離脱してエンジンの吸気系に排出される（すなわち、パージされる）。
【０００８】
そして、このパージ用流路の生成される流れによって、ジェットポンプは、排気流路の谷部に滞留している燃料を、連通路を経由させてパージ用流路に吸引する。すなわち、排気流路の谷部に滞留している燃料が排出（除去）される。また、エンジンの吸気動作によって生成されるパージ用流路の上記流れによってジェットポンプを作用させるので、該ジェットポンプを作用させるために余分な動力を用いることはない。
【０００９】
このように、請求項１記載の燃料貯留部の構造では、燃料タンクへの給油が阻害されることを、確実にかつエネルギ消費の増大を伴うことなく防止することができる。また、排気流路と、燃料タンクに給油するための給油ラインとの位置関係に制約が生じたりすることもない。
【００１０】
請求項２記載の発明に係る燃料貯留部の構造は、請求項１記載の燃料貯留部の構造において、前記パージ用流路は、前記キャニスタと前記エンジン吸気系とを連通し前記燃料蒸気が流れるパージラインと、前記パージの際に前記キャニスタに大気を導入するための大気ラインとを有し、前記連通路は、前記パージラインに連通されている。
【００１１】
請求項２記載のタンク支持構造では、パージ用流路におけるキャニスタとエンジン吸気系とを連通するパージラインに連通路が合流している。このため、燃料（蒸気）が大気ラインを通じて直接的に大気側に放出されることがない。
【００１２】
請求項３記載の発明に係る燃料貯留部の構造は、請求項１又は請求項２記載の燃料貯留部の構造において、前記パージ用流路における前記連通路の合流部よりも前記パージ方向下流側の部分の低部に連通され、該パージ用流路を流れる燃料の液体成分を回収可能な液体燃料回収部をさらに備えた。
【００１３】
請求項３記載の燃料貯留部の構造では、ジェットポンプの作用によってパージ用流路（パージライン）に吸い込まれた燃料のうち、液体成分（の一部）が液体燃料回収部に回収される。
【００１４】
請求項４記載の発明に係る燃料貯留部の構造は、請求項３記載の燃料貯留部の構造において、前記液体燃料回収部は、前記燃料タンクの上部空間とを連通している。
【００１５】
請求項４記載の燃料貯留部の構造では、液体燃料回収部に回収された燃料の液体成分が燃料タンクに戻される。なお、液体燃料回収部は、回収された燃料を直ちに燃料タンクに戻すように構成されても良く、一時的に貯留するように構成されても良い。
【００１６】
請求項５記載の発明に係る燃料貯留部の構造は、請求項４記載の燃料貯留部の構造において、前記液体燃料回収部から前記燃料タンクへの流れを許容し、前記燃料タンクから液体燃料回収部への流れを防止する逆止弁をさらに備えた。
【００１７】
請求項５記載の燃料貯留部の構造では、燃料タンクからパージ用流路（パージライン）への燃料、燃料蒸気の侵入が防される。
【００１８】
請求項６記載の発明に係る燃料貯留部の構造は、請求項３乃至請求項５の何れか１項記載の燃料貯留部の構造において、前記パージ用流路における前記連通路の合流部よりも前記パージ方向下流側の部分に設けられた気液分離手段をさらに備え、前記液体燃料回収部は、前記気液分離手段で分離された液体成分を回収するようになっている。
【００１９】
請求項６記載の燃料貯留部の構造では、エンジンパージに伴って連通路からパージ用流路に合流しエンジン吸気系側に流れる燃料は、気液分離手段によって気体成分と液体成分とに分離され、液体成分が液体燃料回収部に確実に回収される。なお、気体成分は、例えばキャニスタに吸着されていた燃料蒸気と共にエンジン吸気系にパージされる。
【発明の効果】
【００２０】
以上説明したように本発明に係る燃料貯留部の構造は、燃料タンクへの給油が阻害されることを、確実にかつエネルギ消費の増大を伴うことなく防止することができるという優れた効果を有する。
【発明を実施するための最良の形態】
【００２１】
本発明の第１の実施形態に係る燃料貯留部の構造１０について、図１に基づいて説明する。図１には、燃料貯留部の構造１０の全体構成が各部の肉厚を考慮しないで描いた断面図にて示されている。
【００２２】
この図１に示される如く、燃料貯留部の構造１０は、燃料を貯留可能な貯留空間を形成する燃料タンク１２を備えている。燃料タンク１２の側壁部には、該燃料タンク１２に燃料を注入（充填）するためのフューエルフィラーパイプ１４の一端部（下端部）が貫通している。フューエルフィラーパイプ１４の他端部（上端部）は、車両の側壁部に設けられた給油口１６に至っている。したがって、給油口１６と燃料タンク１２内の貯留空間とは、フューエルフィラーパイプ１４によって連通されている。
【００２３】
給油口１６は、該給油口１６に取り付けられたキャップ１６Ａにて閉止されており、燃料タンク１２への給油の際にはキャップ１６Ａを取り外すようになっている。なお、この給油の際には、フューエルフィラーパイプ１４内の燃料液面が上昇し、給油ガンに設けたセンサが満タン状態を検出すると、給油ガンからの給油が自動的に停止するようになっている。
【００２４】
また、燃料タンク１２の側壁上部又は天板には、該燃料タンク１２に燃料を注入する際にガスを逃すための排気流路としてブリーザパイプ（ブリーザライン）１８の一端部（下端部）が貫通している。ブリーザパイプの他端部（上端部）は、注入中の燃料液面よりも常に高位である給油口１６に連通している。これにより、給油口１６から燃料タンク１２に燃料がスムースに注入されるようになっている。このブリーザパイプ１８の形状等については後に詳述することとする。
【００２５】
さらに、燃料貯留部の構造１０は、燃料タンク１２に貯留している液体燃料が蒸発して生成された燃料蒸気を吸着するキャニスタ２０を備えている。キャニスタ２０は、ハウジング２０Ａ内に吸着剤としての活性炭２０Ｂを収容して構成されている。このキャニスタ２０には、燃料タンク１２の上部空間から燃料蒸気を導入するためのエバポライン２２の一端部が接続されている。エバポライン２２の他端部は、燃料タンク１２に設けられた内圧制御弁２４に接続されている。
【００２６】
また、キャニスタ２０には、活性炭２０Ｂに吸着した燃料蒸気を離脱して排出するためのパージライン２６の一端部と、燃料蒸気排出するのに伴って外気を導入するための大気ライン２８の一端部とがそれぞれ接続されている。大気ライン２８の他端部は、給油口１６の近傍で外部に開口している。一方、パージライン２６の他端部は、後述するエンジンの吸気系統に接続されている。
【００２７】
内圧制御弁２４は、燃料タンク１２の内圧が所定の圧力以上になる開弁して、大気ライン２８から空気を排出しつつ、燃料タンク１２の上部空間に滞留している燃料蒸気をエバポライン２２からキャニスタ２０に導入させるようになっている。これにより、燃料蒸気がキャニスタ２０の活性炭２０Ｂに吸着される構成とされている。また、内圧制御弁２４は、燃料タンク１２内の内圧が別途所定の圧力よりも低くなると開弁して、大気ライン２８、キャニスタ２０、エバポライン２２を通じて燃料タンク１２内に外気を導入するようになっている。この実施形態では、内圧制御弁２４は、例えば許容する流れ方向が互いに逆向きとされた２つのボール＆スプリング式のチェックバルブ（逆止弁）を組み合わせた如き構成とされている。
【００２８】
パージライン２６の他端部は、エンジン吸気系統を構成するエアクリーナ２９に連通する吸気通路３０におけるスロットルバルブ３２の下流に、パージＶＳＶ（バキュームスイッチングバルブ）３４を介して連通されている。また、吸気通路３０におけるパージＶＳＶ３４連通部の下流には、該吸気通路３０に燃料を噴射して混合器を生成するインジェクタ３６が設けられている。また、インジェクタ３６は、燃料タンク１２内に配設された燃料ポンプ３８の吐出口３８Ａに、燃料供給ライン４０を介して連通されている。
【００２９】
この構成によって、エンジンの作動中にパージＶＳＶ３４が開弁すると、エンジンの吸気動作に伴って大気ライン２８の開口端から外気を吸い込みつつ該大気ライン２８、パージライン２６中のガスが吸気通路３０に吸い込まれる流れが生成される。この流れによって、キャニスタ２０の活性炭２０Ｂに吸着した燃料蒸気が該活性炭２０Ｂから離脱してエンジン吸気系に排出される、すなわちキャニスタ２０の燃料蒸気がパージされるようになっている。パージＶＳＶ３４は、図示しない制御装置によって、エンジンの運転状態及びキャニスタ２０の容量に応じて開弁のタイミングが制御されるようになっている。
【００３０】
そして、燃料貯留部の構造１０では、ブリーザパイプ１８の長手方向中間部に、その長手方向両側部分よりも低位とされた谷部１８Ａが形成されている。すなわち、谷部１８Ａは、ブリーザパイプ１８を重力方向に凸となるように湾曲乃至屈曲して形成されており、この谷部１８Ａに燃料の液体成分が滞留する可能性がある構成とされている。この谷部１８Ａに滞留した燃料を排出するために、燃料貯留部の構造１０は、谷部１８Ａの低部とパージライン２６とを連通する連通路としての連通ライン４２を備えている。この実施形態では、連通ライン４２の一端部は、谷部１８Ａの最低部に連通されている。
【００３１】
パージライン２６における連通ライン４２の合流部位には、ジェットポンプ４４が配設されている。ジェットポンプ４４は、パージライン２６の流路を絞るノズル部として形成されており、キャニスタ２０側からエンジン吸気系統側に向かう流れによって負圧を生じさせ、この負圧によって谷部１８Ａに滞留している燃料を連通ライン４２を通じてパージライン２６に吸引する構成とされている。
【００３２】
また、パージライン２６におけるジェットポンプ４４の下流には、気液分離手段としての迷路構造４６が設置されている。パージライン２６における迷路構造４６の途中の底部（最低部）からは、液体燃料回収ライン４８が下向きに分岐している。これにより、燃料のうち迷路構造４６によって気体成分（燃料蒸気）と分離された液体成分が、液体燃料回収ライン４８に導入されるようになっている。本実施形態では、迷路構造４６は、液体燃料回収ライン４８の上流側（キャニスタ２０側）でパージライン２６の上部の流れ（気体の流れ）を堰き止め、液体燃料回収ライン４８の下流側でパージライン２６の下部の流れ（液体の流れ）を堰き止める構成とされている。
【００３３】
この液体燃料回収ライン４８の下端は、所定量の液体燃料を貯留可能な回収燃料貯留部５０が設けられている。回収燃料貯留部５０は、燃料タンク１２の上部空間とチェックバルブ５２を介して連通している。チェックバルブ５２は、ボールアンドスプリング式のチェックバルブであり、回収燃料貯留部５０に所定量以上の液体燃料が貯留すると、重力がスプリング付勢力に打ち勝つことで開弁し、回収燃料貯留部５０の燃料を燃料タンク１２に戻すようになっている。また、このチェックバルブ５２は、燃料タンク１２側から回収燃料貯留部５０への流体（燃料、燃料蒸気）の流れを防止する構成とされている。
【００３４】
さらに、パージライン２６における迷路構造４６の下流には、バッファキャニスタ５４が配設されている。バッファキャニスタ５４は、キャニスタ２０と同様にハウジング内に活性炭を収容して構成されており（図示省略）、エンジン吸気系統に排出する燃料蒸気の濃度を安定させるようになっている。すなわち、ブリーザパイプ１８の谷部１８Ａに滞留した燃料をジェットポンプ４４の作用によって吸引した場合には、パージライン２６を流れるガス中の燃料蒸気濃度が高くなるが、該濃度上昇分を一時的にバッファキャニスタ５４に吸着させることで、エンジン吸気系統に排出する燃料蒸気の濃度を安定させることができる構成とされている。
【００３５】
一方、パージライン２６におけるジェットポンプ４４の上流には、一方向弁５６が配置されている。一方向弁５６は、キャニスタ２０（大気ライン２８）からエンジン吸気系統への流れを許容し、逆向きの流れを防止する構成とされている。これにより、ブリーザパイプ１８の谷部１８Ａに滞留した燃料が蒸発して生成した燃料蒸気がキャニスタ２０に供給され、該キャニスタ２０から大気ライン２８側に燃料蒸気の漏れが生じることを抑制することができる。なお、一方向弁５６としては、例えばキャニスタ２０（大気ライン２８）からエンジン吸気系統への流れによって弁体を開位置に保持し、エンジン吸気系統側が高圧になると該圧力によって弁体が弁座に押し付けられる構成のように、低負荷で開弁する（開弁時の圧力損失が小さい）ものが望ましい。
【００３６】
次に、第１の実施形態の作用を説明する。
【００３７】
上記構成の燃料貯留部の構造１０では、ブリーザパイプ１８の中間部に谷部１８Ａが形成されているため、燃料蒸気が液化することにより生じた燃料が谷部１８Ａに滞留したり、悪路走行に伴う揺れによって燃料タンク１２内の燃料の一部がブリーザパイプ１８内に流入して谷部１８Ａに滞留する場合がある。
【００３８】
ここで、パージライン２６におけるブリーザパイプ１８の谷部１８Ａとの部位すなわち連通ライン４２の合流部位にジェットポンプ４４を設けたため、谷部１８Ａに燃料が滞留する状態をエンジンの運転に伴って解消することができる。具体的には、燃料蒸気をエンジンパージするタイミングにパージＶＳＶ３４が開弁すると、パージライン２６をエンジン吸気系統側に流れる燃料蒸気の流れによってジェットポンプ４４が負圧を生じ、この負圧によって谷部１８Ａに滞留していた燃料がパージライン２６に吸引され（吸い込まれ）、キャニスタ２０から離脱した燃料蒸気と共にエンジン吸気系統側に流れる。このため、ブリーザパイプ１８の谷部１８Ａに燃料が滞留し続けることがなく、燃料タンク１２への給油の際には、フューエルフィラーパイプ１４から燃料タンク１２にスムースに燃料を注入することができる。
【００３９】
また、エンジンの吸気動作によって生成されるパージライン２６に生じる上記流れによってジェットポンプ４４を作用させるので、ジェットポンプを作用させるために燃料ポンプを動作させる必要のある技術のように、ジェットポンプ４４を作用させるために余分な動力を用いることはない。しかも、フューエルフィラーパイプ１４とブリーザパイプ１８の谷部１８Ａを連通する技術のように、フューエルフィラーパイプ１４の一部を谷部１８Ａの下方に配索する等の制約が解消される。
【００４０】
このように、この実施形態に係る燃料貯留部の構造１０では、燃料タンク１２への給油が阻害されることを、確実にかつエネルギ消費の増大を伴うことなく防止することができる。
【００４１】
またここで、パージライン２６に気液分離手段である迷路構造４６を設けたため、蒸気の通りパージライン２６を流れる燃料の液体成分が確実に分離される。そして、このパージライン２６における迷路構造の途中から液体燃料回収ライン４８を下向きに分岐させたため、燃料蒸気と分離された液体燃料を液体燃料回収ライン４８の下端に接続した回収燃料貯留部５０に貯留することができる。さらに、この回収燃料貯留部５０に貯留した液体燃料が所定量を超えると、チェックバルブ５２が開弁して液体燃料が燃料タンク１２に回収される。
【００４２】
次に、本発明の第２の実施形態に係る燃料貯留部の構造６０について、図２に基づいて説明する。なお、上記第１の実施形態と基本的に同一の部品、部分については上記第１の実施形態と同一の符号を付してその説明を省略する。
【００４３】
図２に示される如く、燃料貯留部の構造６０では、ブリーザパイプ１８の谷部１８Ａが連通ライン４２を介して大気ライン２８に連通されており、該大気ライン２８における連通ライン４２の合流部位にジェットポンプ４４が配設されている。また、この大気ライン２８におけるジェットポンプ４４の下流（キャニスタ２０側）に迷路構造４６が配設されると共に、該迷路構造４６と燃料タンク１２（の上部空間）との間に液体燃料回収ライン４８、回収燃料貯留部５０、チェックバルブ５２が配設されている。一方、パージライン２６は、連通ライン４２が合流することがなく、ジェットポンプ４４、迷路構造４６、及び一方向弁５６は設けられず、液体燃料回収ライン４８が分岐することもない構造とされている。
【００４４】
また、第２の実施形態では、大気ライン２８におけるジェットポンプ４４の上流（大気開口端側）には、二方向弁６２が配設されている。二方向弁６２は、大気開口側からキャニスタ２０（エンジン吸気系統）側への流れに対しては上記した一方向弁５６の如く低負荷で開弁し、キャニスタ２０（燃料タンク１２）側が大気開口側よりも高圧である場合には、内圧制御弁２４における内圧開放側の弁（ボール＆スプリング式のチェックバルブ）の如く、差圧が所定の差圧以上になった場合に開弁するように構成されている。したがって、この二方向弁も許容する流れ方向が異なる２つの弁を組み合わせた如き構造とされている。
【００４５】
さらに、大気ライン２８における二方向弁６２の上流には、第２のキャニスタ６４が配設されている。キャニスタ６４は、キャニスタ２０と同様にハウジング内に活性炭を収容して構成されており（図示省略）、キャニスタ２０側から大気開口端側への流れに含まれる燃料蒸気を吸着するようになっている。
【００４６】
以上により、燃料貯留部の構造６０では、燃料タンク内の燃料蒸気圧力が高くなって内圧制御弁２４が開弁する際に大気ライン２８を通じてガスを排出することを二方向弁６２が許容し、かつブリーザパイプ１８の谷部１８Ａに滞留した燃料から蒸発し大気ライン２８を通じて外部に排出されようとする燃料蒸気をキャニスタ６４にて吸着する構成とされている。すなわち、大気ライン２８の各機能を維持しつつ、谷部１８Ａに滞留した燃料から蒸発した燃料蒸気が外部に排出されることを効果的に抑制する構成とされている。
【００４７】
燃料貯留部の構造６０の他の構成は、第１の実施形態における燃料貯留部の構造１０の対応する構成と同様である。
【００４８】
そして、燃料貯留部の構造６０では、燃料蒸気をエンジンパージするタイミングにパージＶＳＶ３４が開弁すると、パージライン２６をエンジン吸気系統側に流れる燃料蒸気の流れによってジェットポンプ４４が負圧を生じ、この負圧によって谷部１８Ａに滞留していた燃料が大気ライン２８に吸引され（吸い込まれ）、液体成分は液体燃料回収ライン４８を通じて、回収燃料貯留部に貯留され、最終的には燃料タンク１２に回収される。一方、気体成分である燃料蒸気は、キャニスタ２０から離脱した燃料蒸気と入れ替わり該キャニスタ２０に吸着され、又はそのままキャニスタ２０を通過する。このように、第２の実施形態においても、谷部１８Ａに滞留した燃料は、そのまま滞留し続けることはなく、燃料タンク１２への給油の際には、フューエルフィラーパイプ１４から燃料タンク１２にスムースに燃料を注入することができる。
【００４９】
このように、第２の実施形態に係る燃料貯留部の構造６０によっても、第１の実施形態に係る燃料貯留部の構造１０と全く同様の効果を得ることができる。
【図面の簡単な説明】
【００５０】
【図１】本発明の第１の実施形態に係る燃料貯留部の構造を示す断面図である。
【図２】本発明の第２の実施形態に係る燃料貯留部の構造を示す断面図である。
【符号の説明】
【００５１】
１０    燃料貯留部の構造
１２    燃料タンク
１８    ブリーザパイプ（排気流路）
１８Ａ  谷部
２０    キャニスタ
２６    パージライン（パージ用ライン）
２８    大気ライン（パージ用ライン）
３０    吸気通路（エンジン吸気系）
４２    連通ライン（連通路）
４４    ジェットポンプ
４６    迷路構造（気液分離手段）
４８    液体燃料回収ライン（液体燃料回収部）
５０    回収燃料貯留部（液体燃料回収部）
５２    チェックバルブ（逆止弁）
６０    燃料貯留部の構造
【図１】
2006188090.tif 000003
【図２】
2006188090.tif 000004